【手続補正書】
【提出日】平成17年11月15日(2005.11.15)
【手続補正１】
【補正対象書類名】明細書
【補正対象項目名】特許請求の範囲
【補正方法】変更
【補正の内容】
【特許請求の範囲】
【請求項１】  静電潜像担持体を帯電させる工程；
帯電させた該静電潜像担持体に静電潜像を形成する工程；
該静電潜像担持体上にトナー像を形成するために、該静電潜像をトナー担持体上に担持されているトナーによって現像する工程；及び
該静電潜像担持体上のトナー像を転写材に転写する工程；を有し、
該静電潜像担持体が導電性支持体上に少なくとも感光層を有する感光体であり、該感光体の表面層が少なくとも下記式（１）で示される構成単位を有する重合体で形成された画像形成装置に適用されるトナーであり、
【化１】
2004205932.tif 000001
〔上記式中、Ｘは−ＣＲ13Ｒ14−（Ｒ13及びＲ14は各々独立に水素原子、トリフルオロメチル基、炭素数１〜６のアルキル基または炭素数６〜１２のアリール基である）、置換されていてもよい炭素数５〜１１の１，１−シクロアルキレン基、炭素数２〜１０のα，ω−アルキレン基、単結合、−Ｏ−、−Ｓ−、−ＳＯ−または−ＳＯ2−である。また、Ｒ1〜Ｒ12は各々独立に水素原子、ハロゲン原子、置換されていてもよいアルキル基、アリール基またはアルキレン基であり、ｎは整数である。〕
該トナーの重量平均径Ｙが５μｍ乃至１２μｍであり、且つ該トナーの３μｍ以上の粒子における円形度０．９５０以上の粒子の個数基準累積値Ｚが下記式（Ａ）を満足していることを特徴とするトナー。
Ｚ≧（ｅｘｐ５．５１）×（Ｙ-0.645）  （Ａ）
【請求項２】  静電潜像担持体の表面層がフッ素系樹脂粒子をさらに含有する請求項１に記載のトナー。
【請求項３】  トナーの重量平均径Ｙと円形度０．９５０以上の粒子の個数基準累積値Ｚとが下記式（Ｂ）を満足する請求項１または２に記載のトナー。
Ｚ≧（ｅｘｐ５．３７）×（Ｙ-0.545）  （Ｂ）
【請求項４】  トナーの重量平均径Ｙが６乃至１０μｍである請求項１乃至３のいずれかに記載のトナー。
【請求項５】  トナーが結着樹脂としてポリエステル樹脂を含有している請求項１乃至４のいずれかに記載のトナー。
【請求項６】  トナーが結着樹脂としてビニル系共重合体を含有している請求項１乃至４のいずれかに記載のトナー。
【請求項７】  トナーがワックスを含有し、該トナーの示差走査型熱量計（ＤＳＣ）で測定される昇温時の吸熱ピーク温度で規定される融点が８０乃至１３０℃である請求項１乃至６のいずれかに記載のトナー。
【請求項８】  トナーが、結着樹脂１００質量部に対して、磁性酸化鉄を２０乃至１５０質量部含有している請求項１乃至７のいずれかに記載のトナー。
【請求項９】  トナーが、疎水化処理されたシリカ微粉体を外添されている請求項１乃至８のいずれかに記載のトナー。
【請求項１０】  シリカ微粉体が、シリコーンオイルで処理されている請求項９に記載のトナー。
【請求項１１】  トナーが粉砕法で製造されている請求項１乃至１０のいずれかに記載のトナー。
【請求項１２】  静電潜像担持体を帯電させる工程；
帯電させた該静電潜像担持体に静電潜像を形成する工程；
該静電潜像担持体上にトナー像を形成するために、該静電潜像をトナー担持体上に担持されているトナーによって現像する工程；及び
該静電潜像担持体上のトナー像を転写材に転写する工程；を有する画像形成装置において、
該静電潜像担持体が導電性支持体上に少なくとも感光層を有する感光体であり、該感光体の表面層が少なくとも下記式（１）で示される構成単位を有する重合体で形成され、
【化２】
2004205932.tif 000002
〔上記式中、Ｘは−ＣＲ13Ｒ14−（Ｒ13及びＲ14は各々独立に水素原子、トリフルオロメチル基、炭素数１〜６のアルキル基または炭素数６〜１２のアリール基である）、置換されていてもよい炭素数５〜１１の１，１−シクロアルキレン基、炭素数２〜１０のα，ω−アルキレン基、単結合、−Ｏ−、−Ｓ−、−ＳＯ−または−ＳＯ2−である。また、Ｒ1〜Ｒ12は各々独立に水素原子、ハロゲン原子、置換されていてもよいアルキル基、アリール基またはアルキレン基であり、ｎは整数である。〕
該トナーの重量平均径Ｙが５μｍ乃至１２μｍであり、且つ該トナーの３μｍ以上の粒子における円形度０．９５０以上の粒子の個数基準累積値Ｚが下記式（Ａ）を満足していることを特徴とする画像形成装置。
Ｚ≧（ｅｘｐ５．５１）×（Ｙ-0.645）  （Ａ）
【請求項１３】  静電潜像担持体の表面層がフッ素系樹脂粒子をさらに含有する請求項１２に記載の画像形成装置。
【請求項１４】  トナーの重量平均径Ｙと円形度０．９５０以上の粒子の個数基準累積値Ｚとが下記式（Ｂ）を満足する請求項１２または１３に記載の画像形成装置。
Ｚ≧（ｅｘｐ５．３７）×（Ｙ-0.545）  （Ｂ）
【請求項１５】  トナーの重量平均径Ｙが６乃至１０μｍである請求項１２乃至１４のいずれかに記載の画像形成装置。
【請求項１６】  トナーが結着樹脂としてポリエステル樹脂を含有している請求項１２乃至１５のいずれかに記載の画像形成装置。
【請求項１７】  トナーが結着樹脂としてビニル系共重合体を含有している請求項１２乃至１５のいずれかに記載の画像形成装置。
【請求項１８】  トナーがワックスを含有し、該トナーの示差走査型熱量計（ＤＳＣ）で測定される昇温時の吸熱ピーク温度で規定される融点が８０乃至１３０℃である請求項１２乃至１７のいずれかに記載の画像形成装置。
【請求項１９】  トナーが、結着樹脂１００質量部に対して、磁性酸化鉄を２０乃至１５０質量部含有している請求項１２乃至１８のいずれかに記載の画像形成装置。
【請求項２０】  トナーが、疎水化処理されたシリカ微粉体を外添されている請求項１２乃至１９のいずれかに記載の画像形成装置。
【請求項２１】  シリカ微粉体が、シリコーンオイルで処理されている請求項２０に記載の画像形成装置。
【請求項２２】  トナーが粉砕法で製造されている請求項１２乃至２０のいずれかに記載の画像形成装置。
【請求項２３】  静電潜像担持体を帯電させる工程；
帯電させた該静電潜像担持体に静電潜像を形成する工程；
該静電潜像担持体上にトナー像を形成するために、該静電潜像をトナー担持体上に担持されているトナーによって現像する工程；及び
該静電潜像担持体上のトナー像を転写材に転写する工程；を有する画像形成装置において、少なくとも該静電潜像担持体と現像手段とを一体化し、該画像形成装置に着脱可能に取り付けられるプロセスカートリッジであって、
該静電潜像担持体が導電性支持体上に少なくとも感光層を有する感光体であり、該感光体の表面層が少なくとも下記式（１）で示される構成単位を有する重合体で形成され、
【化３】
2004205932.tif 000003
〔上記式中、Ｘは−ＣＲ13Ｒ14−（Ｒ13及びＲ14は各々独立に水素原子、トリフルオロメチル基、炭素数１〜６のアルキル基または炭素数６〜１２のアリール基である）、置換されていてもよい炭素数５〜１１の１，１−シクロアルキレン基、炭素数２〜１０のα，ω−アルキレン基、単結合、−Ｏ−、−Ｓ−、−ＳＯ−または−ＳＯ2−である。また、Ｒ1〜Ｒ12は各々独立に水素原子、ハロゲン原子、置換されていてもよいアルキル基、アリール基またはアルキレン基であり、ｎは整数である。〕
該トナーの重量平均径Ｙが５μｍ乃至１２μｍであり、且つ該トナーの３μｍ以上の粒子における円形度０．９５０以上の粒子の個数基準累積値Ｚが下記式（Ａ）を満足していることを特徴とするプロセスカートリッジ。
Ｚ≧（ｅｘｐ５．５１）×（Ｙ-0.645）  （Ａ）
【請求項２４】  静電潜像担持体の表面層がフッ素系樹脂粒子をさらに含有する請求項２３に記載のプロセスカートリッジ。
【請求項２５】  トナーの重量平均径Ｙと円形度０．９５０以上の粒子の個数基準累積値Ｚとが下記式（Ｂ）を満足する請求項２３または２４に記載のプロセスカートリッジ。
Ｚ≧（ｅｘｐ５．３７）×（Ｙ-0.545）  （Ｂ）
【請求項２６】  トナーの重量平均径Ｙが６乃至１０μｍである請求項２３乃至２５のいずれかに記載のプロセスカートリッジ。
【請求項２７】  トナーが結着樹脂としてポリエステル樹脂を含有している請求項２３乃至２６のいずれかに記載のプロセスカートリッジ。
【請求項２８】  トナーが結着樹脂としてビニル系共重合体を含有している請求項２３乃至２６のいずれかに記載のプロセスカートリッジ。
【請求項２９】  トナーがワックスを含有し、該トナーの示差走査型熱量計（ＤＳＣ）で測定される昇温時の吸熱ピーク温度で規定される融点が８０乃至１３０℃である請求項２３乃至２８のいずれかに記載のプロセスカートリッジ。
【請求項３０】  トナーが、結着樹脂１００質量部に対して、磁性酸化鉄を２０乃至１５０質量部含有している請求項２３乃至２９のいずれかに記載のプロセスカートリッジ。
【請求項３１】  トナーが、疎水化処理されたシリカ微粉体を外添されている請求項２３乃至３０のいずれかに記載のプロセスカートリッジ。
【請求項３２】  シリカ微粉体が、シリコーンオイルで処理されている請求項３１に記載のプロセスカートリッジ。
【請求項３３】  トナーが粉砕法で製造されている請求項２３乃至３２のいずれかに記載のプロセスカートリッジ。